(57)【要約】      （修正有）【課題】安全性や利便性を向上させることができる電解液噴霧器の提供。【解決手段】被電解液及び電解液の貯蔵が可能な容器部２と、容器部２内に配置される電気分解部３と、容器部２に貯蔵された電解液を噴霧する噴霧部４と、電気分解部３が行う電気分解により電解液から溢れた余剰気体を容器部２の外に排出する排気部６と、電気分解部３に電気的に接続されるとともに容器部２に配置される接続端子７と、接続端子７を介して電気分解部３に電力を供給する電力供給部８と、を備える電解液噴霧器１。【選択図】図２
2019037946.tif 000002
【特許請求の範囲】
【請求項１】
被電解液及び電解液の貯蔵が可能な容器部と、
前記容器部内に配置される電気分解部と、
前記容器部に貯蔵された前記電解液を噴霧する噴霧部と、
前記電気分解部が行う電気分解により前記電解液から溢れた余剰気体を前記容器部の外に排出する排気部と、
を備えていることを特徴とする電解液噴霧器。
【請求項２】
前記容器部の接続面と前記噴霧部の接続面との間に介在する密封部と、を更に備えているとともに、
前記排気部は、前記密封部に設けられた貫通孔又は切り欠きである
ことを特徴とする請求項１に記載の電解液噴霧器。
【請求項３】
前記電気分解部に電気的に接続されるとともに前記容器部に配置される接続端子と、
前記接続端子を介して前記電気分解部に電力を供給する電力供給部と、
を備えることを特徴とする請求項１または請求項２に記載の電解液噴霧器。
【請求項４】
前記容器部は、ボトル状に構成されており、
前記接続端子は、前記容器部の底面又は側面に配置されており、
前記電力供給部は、起立させた前記容器部の底面側から前記容器部を支えるクレードル状に構成されている
ことを特徴とする請求項３に記載の電解液噴霧器。
【請求項５】
前記電解液は、オゾン水であり、
前記電気分解部は、オゾン水生成用電極により構成されている
ことを特徴とする請求項１から請求項４のいずれか１項に記載の電解液噴霧器。
【発明の詳細な説明】
【技術分野】
【０００１】
本発明は、電解液噴霧器に係り、特に、オゾン水噴霧器に好適に利用できる電解液噴霧器に関する。
【背景技術】
【０００２】
従来の電解液噴霧器は、例えば特許文献１に示すように、円筒状の筐体により構成されており、中間部に配置された水タンク部と、その水タンク部の内部に配置された電極を有する電解部と、下部に配置された電源部と、上部に配置されたプッシュ式噴霧機構部と、を備える。この従来の電解液噴霧器は、主に、オゾン水噴霧器として使用される。
【０００３】
電解部が被電解液（水）を電気分解すると、電極周辺において被電解液（水）から気体（オゾン）が発生し、被電解液（水）は電解液（オゾン水）となる。
【先行技術文献】
【特許文献】
【０００４】
【特許文献１】特開２０１１−０９２８８３号公報
【発明の概要】
【発明が解決しようとする課題】
【０００５】
しかしながら、水に対するオゾンの溶解度は２０℃において最大５７０ｍｇ／Ｌと言われている。そのため、オゾン発生量５％程度しかオゾンは水に溶解せず、残り９５％のオゾンは余剰気体としてオゾン水の外部に溢れる。そのため、水タンク部内に余剰気体が増加すると、その内圧が上昇するため、水タンク部やプッシュ式噴霧機構部を破損させる原因となるおそれがあった。これでは、電解液噴霧器の使用者に対して安全性を確保することが困難となる。
【０００６】
また、従来の電解液噴霧器においては、オゾン水を噴霧させる際に電源部を取り外すことができないため、重量増加の観点から、水タンク部及び電源部を大型化することができないという問題があった。水タンク部を大型化することができないと、オゾン水の生成可能量がその生成希望量よりも少なくなるため、利便性を向上させることができない。
【０００７】
また、従来の電解液噴霧器は、種々の問題点から、上記以外でも更なる安全性及び利便性の向上が求められている。
【０００８】
そこで、本発明はこれらの点に鑑みてなされたものであり、安全性や利便性を向上させることができる電解液噴霧器を提供することを本発明の目的としている。
【課題を解決するための手段】
【０００９】
（１）前述した目的を達成するため、本発明の電解液噴霧器は、被電解液及び電解液の貯蔵が可能な容器部と、容器部内に配置される電気分解部と、容器部に貯蔵された電解液を噴霧する噴霧部と、電気分解部が行う電気分解により電解液から溢れた余剰気体を容器部の外に排出する排気部と、を備えていることを特徴とする。
【００１０】
これにより、電解液噴霧器は、余剰気体が容器部の内圧を上げ過ぎることによりその容器部を破裂させてしまうことを防止することができる。
【００１１】
（２）また、本発明の電解液噴霧器は、容器部の接続面と噴霧部の接続面との間に介在する密封部と、を更に備えているとともに、排気部は、密封部に設けられた貫通孔又は切り欠きであることが好ましい。
【００１２】
これにより、電解液噴霧器は、簡易な構造の排気部によって、容器部の内圧が容器部の外圧よりも高くなったときに余剰気体を自動的に排出させることができる。
【００１３】
（３）また、本発明の電解液噴霧器は、電気分解部に電気的に接続されるとともに容器部に配置される接続端子と、接続端子を介して電気分解部に電力を供給する電力供給部と、を備えることが好ましい。
【００１４】
これにより、容器部と電力供給部とを分離することができるので、容器部の重量を軽くすることができる。
【００１５】
（４）また、本発明の電解液噴霧器において、容器部は、ボトル状に構成されており、接続端子は、容器部の底面又は側面に配置されており、電力供給部は、起立させた容器部の底面側から容器部を支えるクレードル状に構成されていることが好ましい。
【００１６】
これにより、電力供給部の一部としての電力供給コードを接続端子に接続する動作と比較して、電力供給動作を容易にすることができる。
【００１７】
（５）また、本発明の電解液噴霧器において、電解液は、オゾン水であり、電気分解部は、オゾン水生成用電極により構成されていることが好ましい。
【００１８】
これにより、電解液噴霧器は、除菌効果を有するオゾン水を電解液として噴霧させることができる。
【発明の効果】
【００１９】
本発明の電解液噴霧器によれば、安全性や利便性を向上させることができるという効果を奏する。
【図面の簡単な説明】
【００２０】
【図１】図１は、本実施形態の電解液噴霧器を示す斜視図である。
【図２】図２は、本実施形態の電解液噴霧器において接続端子と電極供給太が離れた状態を示す斜視図である。
【図３】図３は、本実施形態の密封部及び排気部を示す斜視図である。
【図４】図４は、本実施形態の容器部及び接続端子を示す底面図である。
【発明を実施するための形態】
【００２１】
［１−１］全体構成
以下、本実施形態の電解液噴霧器１を説明する。
【００２２】
図１は、本実施形態の電解液噴霧器１を示す斜視図である。図２は、本実施形態の電解液噴霧器１において接続端子７と電極供給太が離れた状態を示す斜視図である。図３は、本実施形態の密封部５及び排気部６を示す斜視図である。図４は、本実施形態の容器部２及び接続端子７を示す底面図である。
【００２３】
本実施形態の電解液噴霧器１は、図１及び図２に示すように、容器部２と、電気分解部３と、噴霧部４と、密封部５と、排気部６と、接続端子７と、電力供給部８と、を備えていることを特徴とする。
【００２４】
［１−２］容器部２
容器部２は、被電解液及び電解液の貯蔵が可能に構成されている。本実施形態の容器部２は、持ち運びが容易なボトル状に構成されていることが好ましい。この場合、容器部２の上方に設けられる円筒状の開口部は、その側面にねじ山を有する。また、本実施形態の電解液噴霧器１がオゾン水噴霧器の場合、被電解液は水であり、電解液はオゾン水であることが好ましい。
【００２５】
［１−３］電気分解部３
電気分解部３は、容器部２内に配置される。電気分解部３は、電気分解板を有する。電気分解板は、１枚又は２枚以上の陽極及び陰極により構成されており、それらは交互に配置されている。本実施形態の電解液噴霧器１がオゾン水噴霧器の場合、本実施形態の電気分解部３は、電気分解板としてオゾン水生成用電極により構成されていることが好ましい。この場合、例えば、陽極は白金電極であり、陰極はダイヤモンド電極であることが好ましい。
【００２６】
［１−４］噴霧部４
噴霧部４は、容器部２に貯蔵された電解液を噴霧する。噴霧部４としては、トリガー式スプレーノズルやプッシュ式スプレーノズルであることが好ましい。また、噴霧部４は、円筒キャップ状の取付部を有しており、その内部にねじ山を有していることが好ましい。噴霧部４の取付部のねじ山は、容器部２の開口部のねじ山に合うように構成されている。
【００２７】
［１−５］密封部５
密封部５は、図３に示すように、容器部２の接続面と噴霧部４の接続面との間に介在する。本実施形態の密封部５としては、シリコーンゴムなどのゴム製の角リングが好ましい。
【００２８】
［１−６］排気部６
排気部６は、電気分解部３が行う電気分解により電解液から溢れた余剰気体を容器部２の外に排出する。排気部６としては、密封部５に設けられた貫通孔又は切り欠きであることが好ましい。本実施形態の排気部６は、角リングの一部を切断してなるＣリングに設けられた切り欠きである。
【００２９】
［１−７］接続端子７
接続端子７は、電気分解部３に電気的に接続されている。また、接続端子７は、容器部２に配置されている。容器部２がボトル状に構成されている場合、接続端子７は、容器部２の底面又は側面に配置されていることが好ましい。本実施形態の接続端子７は、図４に示すように、容器部２の底面に配置されている。
【００３０】
［１−８］電力供給部８
電力供給部８は、接続端子７を介して電気分解部３に電力を供給する。本実施形態の電力供給部８は、起立させた容器部２の底面側から容器部２を支えるクレードル状に構成されていることが好ましい。
【００３１】
［２］効果
次に、本実施形態の電解液噴霧器１の効果を説明する。
【００３２】
（１）本実施形態の電解液噴霧器１は、被電解液及び電解液の貯蔵が可能な容器部２と、容器部２内に配置される電気分解部３と、容器部２に貯蔵された電解液を噴霧する噴霧部４と、電気分解部３が行う電気分解により電解液から溢れた余剰気体を容器部２の外に排出する排気部６と、を備えていることを特徴とする。
【００３３】
これにより、電解液噴霧器１は、余剰気体が容器部２の内圧を上げ過ぎることによりその容器部２を破裂させてしまうことを防止することができる。
【００３４】
（２）また、本実施形態の電解液噴霧器１は、容器部２の接続面と噴霧部４の接続面との間に介在する密封部５と、を更に備えているとともに、排気部６は、密封部５に設けられた貫通孔又は切り欠きであることが好ましい。
【００３５】
これにより、電解液噴霧器１は、簡易な構造の排気部６によって、容器部２の内圧が容器部２の外圧よりも高くなったときに余剰気体を自動的に排出させることができる。
【００３６】
（３）また、本実施形態の電解液噴霧器１は、電気分解部３に電気的に接続されるとともに容器部２に配置される接続端子７と、接続端子７を介して電気分解部３に電力を供給する電力供給部８と、を備えることが好ましい。
【００３７】
これにより、容器部２と電力供給部８とを分離することができるので、容器部２の重量を軽くすることができる。
【００３８】
（４）また、本実施形態の電解液噴霧器１において、容器部２は、ボトル状に構成されており、接続端子７は、容器部２の底面又は側面に配置されており、電力供給部８は、起立させた容器部２の底面側から容器部２を支えるクレードル状に構成されていることが好ましい。
【００３９】
これにより、電力供給部８の一部としての電力供給コードを接続端子７に接続する動作と比較して、電力供給動作を容易にすることができる。
【００４０】
（５）また、本実施形態の電解液噴霧器１において、電解液は、オゾン水であり、電気分解部３は、オゾン水生成用電極により構成されていることが好ましい。
【００４１】
これにより、電解液噴霧器１は、除菌効果を有するオゾン水を電解液として噴霧させることができる。
【００４２】
すなわち、本実施形態の電解液噴霧器１によれば、安全性や利便性を向上させることができるという効果を奏する。
【００４３】
なお、本発明は、前述した実施形態などに限定されるものではなく、必要に応じて種々の変更が可能である。
【符号の説明】
【００４４】
１  電解液噴霧器
２  容器部
３  電気分解部
４  噴霧部
５  密封部
６  排気部
７  接続端子
８  電力供給部
【図１】
2019037946.tif 000003
【図２】
2019037946.tif 000004
【図３】
2019037946.tif 000005
【図４】
2019037946.tif 000006